(57)【要約】  複数の同軸ケーブルを回路基板に簡易に接続可能であって、接続信頼性が高く、細径化可能なケーブル接続構造、撮像装置および内視鏡を提供する。本発明のケーブル接続構造は、第１本体部と、シールド配置部と、シールド接続電極と、複数の芯線接続電極と、が形成される第２本体部と、を有する回路基板と、先端部から芯線、内部絶縁体、シールドが段階的に露出するように加工され、前記芯線が前記芯線接続電極にそれぞれ接続されるとともに、前記シールドは、前記シールド接続電極に一括して接続される複数の同軸ケーブルと、を備え、前記第２本体部および前記同軸ケーブルは、前記第１本体部の主面と直交する前面の投影面内に位置することを特徴とする。
2017187621.tif 000002
【特許請求の範囲】
【請求項１】
主面を有する第１本体部と、前記主面と対向する面で前記第１の本体部に接して配置され、前記主面の面内における少なくとも一方向で前記第１本体部より側面が薄厚であり、前記薄厚の側面上に、底面部と、前記底面部の少なくとも一端部から立ち上がる壁部とからなるシールド配置部と、少なくとも前記底面部に形成されるシールド接続電極と、複数の芯線接続電極と、が形成される第２本体部と、を有する回路基板と、
芯線と、前記芯線の外周を被覆する内部絶縁体と、前記内部絶縁体の外周を被覆するシールドと、前記シールドの外周を被覆する外部絶縁体とを有し、先端部から前記芯線、前記内部絶縁体、前記シールドが段階的に露出するように加工され、前記芯線が前記芯線接続電極にそれぞれ接続されるとともに、前記シールドは、前記シールド接続電極に一括して接続される複数の同軸ケーブルと、
を備え、
前記第２本体部および前記同軸ケーブルは、前記主面を、この面に直交する方向に投影した際の投影面内に位置することを特徴とするケーブル接続構造。
【請求項２】
前記シールド配置部は、底面部と、前記底面部の両端部から立ち上がる壁部とからなる凹部をなし、
前記シールド接続電極は、前記凹部の前記同軸ケーブルが延出する方向と直交する幅方向の全幅にわたり形成されることを特徴とする請求項１に記載のケーブル接続構造。
【請求項３】
前記シールド配置部は、前記壁部の上面が前記第２本体部の主面と面一であることを特徴とする請求項１または２に記載のケーブル接続構造。
【請求項４】
前記シールド配置部は、前記壁部が前記第２本体部の主面から突出していることを特徴とする請求項１または２に記載のケーブル接続構造。
【請求項５】
前記壁部の高さは、前記同軸ケーブルのシールド直径の１／２以上、シールド直径未満であることを特徴とする請求項１〜４のいずれか一つに記載のケーブル接続構造。
【請求項６】
前記複数の同軸ケーブルは、外径が異なる同軸ケーブルを含み、
前記壁部の高さは、前記壁部に隣接配置される前記同軸ケーブルのシールド直径の１／２以上、シールド直径未満であることを特徴とする請求項１〜４のいずれか一つに記載のケーブル接続構造。
【請求項７】
前記複数の同軸ケーブルは、前記シールド配置部内に多層に積まれて配置されることを特徴とする請求項２〜４のいずれか一つに記載のケーブル接続構造。
【請求項８】
前記壁部の高さは、多層に積まれた最上層の前記同軸ケーブルが、径方向に１／２以上収容され、かつ、上層の前記同軸ケーブルの少なくとも一部が凹部外に位置する高さであることを特徴とする請求項７に記載のケーブル接続構造。
【請求項９】
入射された光を光電変換して電気信号を生成する受光部と、受光部が形成された面の裏面側に形成される複数のセンサ電極と、を有する撮像素子と、
接続電極が形成される第１本体部と、底面部と、前記底面部の少なくとも一端部から立ち上がる壁部とからなるシールド配置部と、少なくとも前記底面部に形成されるシールド接続電極と、複数の芯線接続電極と、が形成される第２本体部と、を有する回路基板と、
芯線と、前記芯線の外周を被覆する内部絶縁体と、前記内部絶縁体の外周を被覆するシールドと、前記シールドの外周を被覆する外部絶縁体とを有し、先端部から前記芯線、前記内部絶縁体、前記シールドが段階的に露出するように加工され、前記芯線が前記芯線接続電極にそれぞれ接続されるとともに、前記シールドは、前記シールド接続電極に一括して接続される複数の同軸ケーブルと、
を備え、
前記第１本体部、前記第２本体部および前記同軸ケーブルは、前記撮像素子の受光面の投影面内に位置することを特徴とする撮像装置。
【請求項１０】
入射された光を光電変換して電気信号を生成する受光部と、受光部が形成された面の裏面側に形成される複数のセンサ電極と、を有する撮像素子と、
表面および裏面に第１接続電極がそれぞれ形成され、表面側の第１接続電極が前記撮像素子のセンサ電極と電気的および機械的に接続される第１回路基板と、
前記第１回路基板の裏面側の第１接続電極と接続される第２接続電極が形成される第１本体部と、前記第１回路基板の裏面と直交する面上に形成された底面部と、前記底面部の少なくとも一端部から立ち上がる壁部とからなるシールド配置部と、少なくとも前記底面部に形成されるシールド接続電極と、複数の芯線接続電極と、が形成される第２本体部と、を有する第２回路基板と、
芯線と、前記芯線の外周を被覆する内部絶縁体と、前記内部絶縁体の外周を被覆するシールドと、前記シールドの外周を被覆する外部絶縁体とを有し、先端部から前記芯線、前記内部絶縁体、前記シールドが段階的に露出するように加工され、前記芯線が前記芯線接続電極にそれぞれ接続されるとともに、前記シールドは、前記シールド接続電極に一括して接続される複数の同軸ケーブルと、
を備え、
前記第１本体部、前記第２本体部および前記同軸ケーブルは、前記撮像素子の受光面の投影面内に位置することを特徴とする撮像装置。
【請求項１１】
請求項９または１０に記載の撮像装置が先端に設けられた挿入部を備えたことを特徴とする内視鏡。
【発明の詳細な説明】
【技術分野】
【０００１】
本発明は、同軸ケーブルと回路基板とが接続されたケーブル接続構造、撮像装置および内視鏡に関する。
【背景技術】
【０００２】
従来から、被検体内に挿入されて被検部位の観察等を行う内視鏡が知られており、医療分野等で広く利用されている。この内視鏡は、可撓性を有する細長の挿入具の先端部に、撮像素子等の電子部品を実装した撮像モジュールが内蔵されて構成されている。挿入具の先端部は、患者への導入のしやすさを考慮し、細径化、短小化が望まれている。【０００３】
上述した要望に関連して、主面側が、平板状の第１平板部と、第１平板部より薄板の第２平板部と、第１の平板部と第２の平板部との境界に形成される傾斜面または垂直面である段差面とを備える回路基板に対し、同軸ケーブルの芯線を、第２平板部または段差面に形成された接続電極に接続したケーブル接続構造が知られている（例えば、特許文献１参照）。【０００４】
特許文献１では、同軸ケーブルの取付け高さを低くできる、すなわち撮像装置および内視鏡等に用いた場合に細径化が可能となるものであるが、複数の同軸ケーブルを接続する場合について考慮されていない。回路基板に複数の同軸ケーブルを接続する場合、治具等により同軸ケーブルを保持した状態で回路基板に対し位置決めして接続するが、細線化した複数の同軸ケーブルを精度よく位置決めすることは困難であり、接続作業に熟練が必要となる。また、位置決め精度が低いと接続強度および信頼性が低下する。【０００５】
ケーブルの位置決め精度を向上する技術として、可撓多芯ケーブルの複数の芯線を、回路基板を介して画像センサと接続する撮像モジュールにおいて、撮像素子と平行に配設される回路基板の長手方向の側面に凹部を形成し、該凹部に芯線を収納し接続することにより、芯線の広がりを防止して撮像モジュールの細径化を図る技術が開示されている（例えば、特許文献２参照）。
【先行技術文献】
【特許文献】
【０００６】
【特許文献１】特許第５６３１６１８号公報
【特許文献２】特開２００９−２７７０９号公報
【発明の概要】
【発明が解決しようとする課題】
【０００７】
特許文献２では、凹部の大きさ（幅）を収納する芯線（外皮）の径を考慮することにより、芯線の位置決めを簡易に行うことができる。しかしながら、特許文献２は、芯線と回路基板との接続構造に関するものであって、同軸ケーブルの外部導体（または遮蔽壁）は、他の地点にて接触接続することができると記載されるにすぎず、例えば外部導体（または遮蔽壁）を回路基板と接触接続できるように配置するためには、特許文献２図８ｃに記されるように、基板に同軸ケーブルの外部導体（または遮蔽壁）を挿入するための穴を設ける必要があり、ケーブルと回路基板との接続部厚みが大きくなり、基板外形が大きくなるおそれがある。【０００８】
本発明は、上記に鑑みてなされたものであって、複数の同軸ケーブルを回路基板に簡易に接続可能であって、接続信頼性が高く、細径化可能なケーブル接続構造、撮像装置および内視鏡を提供することを目的とする。
【課題を解決するための手段】
【０００９】
上述した課題を解決し、目的を達成するために、本発明にかかるケーブル接続構造は、主面を有する第１本体部と、前記主面と対向する面で前記第１の本体部に接して配置され、前記主面の面内における少なくとも一方向で前記第１本体部より側面が薄厚であり、前記薄厚の側面上に、底面部と、前記底面部の少なくとも一端部から立ち上がる壁部とからなるシールド配置部と、少なくとも前記底面部に形成されるシールド接続電極と、複数の芯線接続電極と、が形成される第２本体部と、を有する回路基板と、芯線と、前記芯線の外周を被覆する内部絶縁体と、前記内部絶縁体の外周を被覆するシールドと、前記シールドの外周を被覆する外部絶縁体とを有し、先端部から前記芯線、前記内部絶縁体、前記シールドが段階的に露出するように加工された、前記芯線が前記芯線接続電極にそれぞれ接続されるとともに、前記シールドは、前記シールド接続電極に一括して接続される複数の同軸ケーブルと、を備え、前記第２本体部および前記同軸ケーブルは、前記主面を、この面に直交する方向に投影した際の投影面内に位置することを特徴とする。【００１０】
また、本発明にかかるケーブル接続構造は、上記発明において、前記シールド配置部は、底面部と、前記底面部の両端部から立ち上がる壁部とからなる凹部をなし、前記シールド接続電極は、前記凹部の前記同軸ケーブルが延出する方向と直交する幅方向の全幅にわたり形成されることを特徴とする。【００１１】
また、本発明にかかるケーブル接続構造は、上記発明において、前記シールド配置部は、前記壁部の上面が前記第２本体部の主面と面一であることを特徴とする。【００１２】
また、本発明にかかるケーブル接続構造は、上記発明において、前記シールド配置部は、前記壁部が前記第２本体部の主面から突出していることを特徴とする。【００１３】
また、本発明にかかるケーブル接続構造は、上記発明において、前記壁部の高さは、前記同軸ケーブルのシールド直径の１／２以上、シールド直径未満であることを特徴とする。【００１４】
また、本発明にかかるケーブル接続構造は、上記発明において、前記複数の同軸ケーブルは、外径が異なる同軸ケーブルを含み、前記壁部の高さは、前記壁部に隣接配置される前記同軸ケーブルのシールド直径の１／２以上、シールド直径未満であることを特徴とする。【００１５】
また、本発明にかかるケーブル接続構造は、上記発明において、前記複数の同軸ケーブルは、前記シールド配置部内に多層に積まれて配置されることを特徴とする。【００１６】
また、本発明にかかるケーブル接続構造は、上記発明において、前記壁部の高さは、多層に積まれた最上層の前記同軸ケーブルが、径方向に１／２以上収容され、かつ、上層の前記同軸ケーブルの少なくとも一部が凹部外に位置する高さであることを特徴とする。【００１７】
また、本発明にかかる撮像装置は、入射された光を光電変換して電気信号を生成する受光部と、受光部が形成された面の裏面側に形成される複数のセンサ電極と、を有する撮像素子と、接続電極が形成される第１本体部と、底面部と、前記底面部の少なくとも一端部から立ち上がる壁部とからなるシールド配置部と、少なくとも前記底面部に形成されるシールド接続電極と、複数の芯線接続電極と、が形成される第２本体部と、を有する回路基板と、芯線と、前記芯線の外周を被覆する内部絶縁体と、前記内部絶縁体の外周を被覆するシールドと、前記シールドの外周を被覆する外部絶縁体とを有し、先端部から前記芯線、前記内部絶縁体、前記シールドが段階的に露出するように加工され、前記芯線が前記芯線接続電極にそれぞれ接続されるとともに、前記シールドは、前記シールド接続電極に一括して接続される複数の同軸ケーブルと、を備え、前記第１本体部、前記第２本体部および前記同軸ケーブルは、前記撮像素子の受光面の投影面内に位置することを特徴とする。【００１８】
また、本発明にかかる撮像装置は、入射された光を光電変換して電気信号を生成する受光部と、受光部が形成された面の裏面側に形成される複数のセンサ電極と、を有する撮像素子と、表面および裏面に第１接続電極がそれぞれ形成され、表面側の第１接続電極が前記撮像素子のセンサ電極と電気的および機械的に接続される第１回路基板と、前記第１回路基板の裏面側の第１接続電極と接続される第２接続電極が形成される第１本体部と、前記第１回路基板の裏面と直交する面上に形成された底面部と、前記底面部の少なくとも一端部から立ち上がる壁部とからなるシールド配置部と、少なくとも前記底面部に形成されるシールド接続電極と、複数の芯線接続電極と、が形成される第２本体部と、を有する第２回路基板と、芯線と、前記芯線の外周を被覆する内部絶縁体と、前記内部絶縁体の外周を被覆するシールドと、前記シールドの外周を被覆する外部絶縁体とを有し、先端部から前記芯線、前記内部絶縁体、前記シールドが段階的に露出するように加工され、前記芯線が前記芯線接続電極にそれぞれ接続されるとともに、前記シールドは、前記シールド接続電極に一括して接続される複数の同軸ケーブルと、を備え、前記第１本体部、前記第２本体部および前記同軸ケーブルは、前記撮像素子の受光面の投影面内に位置することを特徴とする。【００１９】
また、本発明にかかる内視鏡は、上記に記載の撮像装置が先端に設けられた挿入部を備えたことを特徴とする。
【発明の効果】
【００２０】
本発明にかかるケーブル接続構造、撮像装置および内視鏡は、ケーブルと回路基板との接続部の厚みを低減、すなわち外形を小型化できるとともに、同軸ケーブルの位置合わせを容易に行うことができるとともに、接続信頼性を向上することが可能となる。
【図面の簡単な説明】
【００２１】
【図１】図１は、本実施の形態１にかかる内視鏡システムの全体構成を模式的に示す図である。
【図２】図２は、図１の内視鏡で使用する撮像装置の斜視図である。
【図３】図３は、図２の撮像装置において、同軸ケーブルを接続しない状態の斜視図である。
【図４】図４は、シールド接続電極へのシールドの接続を説明する断面図である。
【図５】図５は、シールド接続電極へのシールドの接続を説明する断面図である。
【図６】図６は、本発明の実施の形態１の変形例１にかかる撮像装置の斜視図である。
【図７】図７は、本発明の実施の形態１の変形例２にかかる撮像装置の断面図である。
【図８】図８は、本発明の実施の形態１の変形例３にかかる撮像装置の断面図である。
【図９】図９は、本発明の実施の形態１の変形例４にかかる撮像装置の断面図である。
【図１０】図１０は、本発明の実施の形態２にかかる撮像装置で使用する回路基板を示す斜視図である。
【発明を実施するための形態】
【００２２】
以下の説明では、本発明を実施するための形態（以下、「実施の形態」という）として、撮像装置を備えた内視鏡システムについて説明する。また、この実施の形態により、この発明が限定されるものではない。さらに、図面の記載において、同一部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００２３】
（実施の形態１）
図１は、本発明の実施の形態１にかかる内視鏡システムの全体構成を模式的に示す図である。図１に示すように、実施の形態１にかかる内視鏡システム１は、被検体内に導入され、被検体の体内を撮像して被検体内の画像信号を生成する内視鏡２と、内視鏡２が撮像した画像信号に所定の画像処理を施すとともに内視鏡システム１の各部を制御する情報処理装置３（外部プロセッサ）と、内視鏡２の照明光を生成する光源装置４と、情報処理装置３による画像処理後の画像信号を画像表示する表示装置５と、を備える。
【００２４】
内視鏡２は、被検体内に挿入される挿入部６と、挿入部６の基端部側であって術者が把持する操作部７と、操作部７より延伸する可撓性のユニバーサルコード８と、を備える。
【００２５】
挿入部６は、照明ファイバ（ライトガイドケーブル）、電気ケーブルおよび光ファイバ等を用いて実現される。挿入部６は、後述する撮像ユニットを内蔵した先端部６ａと、複数の湾曲駒によって構成された湾曲自在な湾曲部６ｂと、湾曲部６ｂの基端部側に設けられた可撓性を有する可撓管部６ｃと、を有する。先端部６ａには、照明レンズを介して被検体内を照明する照明部、被検体内を撮像する観察部、処置具用チャンネルを連通する開口部および送気・送水用ノズル（図示せず）が設けられている。
【００２６】
操作部７は、湾曲部６ｂを上下方向および左右方向に湾曲させる湾曲ノブ７ａと、被検体の体腔内に生体鉗子、レーザメス等の処置具が挿入される処置具挿入部７ｂと、情報処理装置３、光源装置４、送気装置、送水装置および送ガス装置等の周辺機器の操作を行う複数のスイッチ部７ｃと、を有する。処置具挿入部７ｂから挿入された処置具は、内部に設けられた処置具用チャンネルを経て挿入部６先端の開口部６ｄから表出する。
【００２７】
ユニバーサルコード８は、照明ファイバ、ケーブル等を用いて構成される。ユニバーサルコード８は、基端で分岐しており、分岐した一方の端部がコネクタ８ａであり、他方の端部がコネクタ８ｂである。コネクタ８ａは、情報処理装置３のコネクタに対して着脱自在である。コネクタ８ｂは、光源装置４に対して着脱自在である。ユニバーサルコード８は、光源装置４から出射された照明光を、コネクタ８ｂ、および照明ファイバを介して先端部６ａに伝播する。また、ユニバーサルコード８は、後述する撮像装置が撮像した画像信号を、ケーブルおよびコネクタ８ａを介して情報処理装置３に伝送する。
【００２８】
情報処理装置３は、コネクタ８ａから出力される画像信号に所定の画像処理を施すとともに、内視鏡システム１全体を制御する。
【００２９】
光源装置４は、光を発する光源や、集光レンズ等を用いて構成される。光源装置４は、情報処理装置３の制御のもと、光源から光を発し、コネクタ８ｂおよびユニバーサルコード８の照明ファイバを介して接続された内視鏡２へ、被写体である被検体内に対する照明光として供給する。
【００３０】
表示装置５は、液晶または有機ＥＬ（Ｅｌｅｃｔｒｏ  Ｌｕｍｉｎｅｓｃｅｎｃｅ）を用いた表示ディスプレイ等を用いて構成される。表示装置５は、映像ケーブル５ａを介して情報処理装置３によって所定の画像処理が施された画像を含む各種情報を表示する。これにより、術者は、表示装置５が表示する画像（体内画像）を見ながら内視鏡２を操作することにより、被検体内の所望の位置の観察および性状を判定することができる。
【００３１】
次に、撮像装置の構成について詳細に説明する。図２は、図１の内視鏡で使用する撮像装置の斜視図である。図３は、図２の撮像装置において、同軸ケーブルを接続しない状態の斜視図である。図４は、シールド接続電極へのシールドの接続を説明する断面図である。なお、図２〜図４では、芯線およびシールドの接続に使用する半田の図示を省略している。
【００３２】
図２および図３に示すように、実施の形態１にかかる撮像装置１００は、撮像素子１０と、回路基板２０と、同軸ケーブル３０と、を備える。
【００３３】
撮像素子１０は、ガラス１１が撮像素子チップ１２に貼り付けられた構造となっている。レンズユニットが集光した光はガラス１１の表面であるｆ１面を介して、受光部を備える撮像素子チップ１２の受光面ｆ２に入射する。撮像素子１０の受光面ｆ２と対向する裏面側にはセンサ電極（図示せず）が形成されている。撮像素子１０は、ウエハ状態の撮像素子チップ１２に、配線、電極形成、樹脂封止、およびダイシングをして、最終的に撮像素子チップ１２の大きさがそのままパッケージの大きさとなるＣＳＰ（Ｃｈｉｐ  Ｓｉｚｅ  Ｐａｃｋａｇｅ）であることが好ましい。
【００３４】
回路基板２０は、第１本体部２１と、第２本体部２２、とを有する。第１本体部は、撮像素子１０と接する主面であるｆ３面側に接続電極（図示せず）が形成され、撮像素子１０のセンサ電極と電気的および機械的に接続されている。第２本体部２２の上面ｆ４側には、底面部２３ａと、底面部２３ａの両端部から立ち上がる壁部２３ｂとからなるシールド配置部２３と、底面部２３ａおよび壁部２３ｂの全面に形成されるシールド接続電極２４と、複数の芯線接続電極２５と、が形成されている。第２本体部２２は、側面部が第１本体部２１より薄厚、すなわち、第１本体部の高さＨ１（側面ｆ６およびｆ７の長さ）は、第２本体部２２の高さＨ２（側面ｆ６およびｆ７の長さ）より高くなるように形成されている。
【００３５】
シールド配置部２３は、第２本体部２２の基端面ｆ５側に形成され、壁部２３ｂは、第２本体部の上面ｆ４から突出している。シールド配置部２３は、底面部２３ａと、底面部２３ａの両端部から立ち上がる壁部２３ｂとからなる凹部をなしている。シールド接続電極２４は、凹部の全面に形成されているが、凹部の幅方向、すなわち同軸ケーブル３０が延出する方向（光軸方向）と直交する方向の全幅にわたり形成されていれば、光軸方向の全長にわたり形成されている必要はない。シールド接続電極２４が、凹部の幅方向の全幅、すなわち底面部２３ａおよび壁部２３ｂ上に形成され、シールド接続電極２４とシールド３３が図示しないはんだなどの接合材料を介して接続されることにより、接続強度を確保し信頼性を向上することができる。シールド接続電極２４は、回路基板２０を個片化前の母基板に長穴状のスルーホールを形成し、スルーホール内に導電層を形成した後、切断することで形成することができる。  
【００３６】
同軸ケーブル３０は、導電性材料からなる芯線３１と、芯線３１の外周を被覆する内部絶縁体３２と、内部絶縁体３２の外周を被覆するシールド３３と、シールド３３の外周を被覆する外部絶縁体３４と、を備える。同軸ケーブル３０の回路基板２０と接続される側の端部は、先端部から芯線３１、内部絶縁体３２、シールド３３が段階的に露出するように加工されている。露出する芯線３１は芯線接続電極２５にそれぞれ接続されるとともに、露出するシールド３３は、シールド接続電極２４に一括して接続されている。
【００３７】
図４に示すように、シールド３３をシールド接続電極２４に接続する際、３本の同軸ケーブル３０を、図示しない治具で保持した状態でシールド配置部２３に配置した後、上方から接触治工具４０で、熱および圧力を加えることにより半田を溶解して３本の同軸ケーブル３０のシールド３３をシールド接続電極２４に一括して接続する。接触治工具４０でのシールド３３へより効率よく熱伝達することを考慮すると、接触治工具４０が直接シールド３３に接触することが好ましく、壁部２３ｂの高さＤ１は、同軸ケーブル３０のシールド直径Ｄ２、すなわち、同軸ケーブル３０の外部絶縁体３４を除去した状態での同軸ケーブル３０の直径未満であることが好ましい。壁部２３ｂの高さＤ１を同軸ケーブル３０のシールド直径Ｄ２未満とすることにより、接触治工具４０を直接シールド３３に接することができるので、熱伝達効率を向上することができる。壁部２３ｂの高さＤ１が同軸ケーブル３０のシールド直径Ｄ２以上である場合には、接触治工具４０の大きさを凹部の開口長さＲ１未満とすることにより、接触治工具４０で、直接シールド３３を加熱することは可能である。しかしながら、大きさを調整した接触治工具４０の用意が必要となるとともに、接触治工具４０のシールド３３との位置合わせも困難であるため、壁部２３ｂの高さＤ１を同軸ケーブル３０のシールド直径Ｄ２未満とすることが好ましい。
【００３８】
また、壁部２３ｂの高さＤ１は、同軸ケーブル３０のシールド配置部２３からの位置ずれを防止する観点及び、同軸ケーブル３０のシールド３３と壁部２３ｂの接続面積をより多く確保し接続信頼性を保つ観点から、同軸ケーブル３０のシールド直径Ｄ２の１／２以上とすることが好ましい。
【００３９】
３本の同軸ケーブル３０を、シールド接続電極２４に、簡易かつ精度よく位置合わせするためには、シールド配置部２３の開口長さＲ１は、同軸ケーブル３０のシールド直径Ｄ２の合計長さ（Ｄ２×３）以上であって、かつ、同軸ケーブル３０のシールド直径Ｄ２の合計長さ（Ｄ２×３）の１３０％以下、好ましくは１２０％以下、さらに好ましくは１１０％以下である。シールド配置部２３の開口長さＲ１が広い方がシールド直径のばらつきや同軸ケーブルの位置のばらつきにも対応できるが、３本の同軸ケーブル３０を、シールド接続電極２４に、簡易かつ精度よく位置合わせするためには、シールド配置部２３の開口長さＲ１は狭い方が好ましい。  
【００４０】
なお、図５に示す接触治工具１４０を使用することにより、同軸ケーブル３０をより正確に位置合わせすることができる。接触治工具１４０は、凹部４１を有し、凹部４１内に同軸ケーブル３０が収まる形状とすることが好ましい。凹部４１の開口長さＲ２は、シールド配置部２４の開口長さＲ１と同一とすることが好ましい。また、凹部４１の高さＤ３は、同軸ケーブル３０のシールド直径Ｄ２と壁部２３ｂの高さＤ１との差未満とすることが好ましい。
【００４１】
同軸ケーブル３０を回路基板２０に接続、すなわち、シールド接続電極２４にシールド３３を接続し、芯線３１を芯線接続電極２５に接続した際、第２本体部２２および同軸ケーブル３０は、第１本体部２１の上面ｆ４と直交する前面、すなわち、撮像素子１０と接するｆ３面の投影面内に位置する。換言すれば、第２本体部２２および同軸ケーブル３０は、第１本体部２１の撮像素子１０の光軸方向への投影面内に収まる大きさである。また、第１本体部２１の前面であるｆ３面は、撮像素子１０の受光面ｆ２と略同一に形成される。したがって、第１本体部２１、第２本体部２２および同軸ケーブル３０は、撮像素子１０の光軸方向への投影面内に収まる大きさである。これにより、撮像装置１００の細径化を図ることができる。
【００４２】
実施の形態１では、凹部をなすシールド配置部２３にシールド接続電極を設けているため、複数の同軸ケーブル３０のシールド接続電極２４への位置合わせが容易となり、簡易に同軸ケーブル３０を回路基板に接続することができる。また、第１本体部２１、第２本体部２２および同軸ケーブル３０を、撮像素子１０の光軸方向への投影面内に収まる大きさに形成するため、撮像装置１００の細径化を図ることができる。
【００４３】
上記の実施の形態１では、３本の同軸ケーブル３０を用いた撮像装置１００について説明したが、同軸ケーブル３０の本数は、これに限定するものではない。また、実施の形態１では、シールド配置部２３は、底面部２３ａと、底面部２３ａの両端部から立ち上がる壁部２３ｂとからなるが、シールド配置部２３は、底面部２３ａと、底面部２３ａの一端部から立ち上がる壁部２３ｂとからなるものであってもよい。少なくとも底面部２３ａの一端部に壁部２３ｂを設けることにより、壁部２３ｂにより同軸ケーブル３０の位置を規制することができるため、同軸ケーブル３０の位置合わせが容易となるためである。
【００４４】
また、実施の形態１では、シールド配置部２３は、壁部２３ｂが第２本体部２２の主面から突出しているが、壁部２３ｂの上面を第２本体部２２の上面ｆ４と面一としてもよい。図６は、本発明の実施の形態１の変形例１にかかる撮像装置１００Ａの斜視図である。図６では、発明の理解のために、同軸ケーブル３０の図示を省略している。
【００４５】
撮像装置１００Ａにおいて、回路基板２０Ａは、第１本体部２１と、第２本体部２２Ａとを有する。シールド配置部２３Ａは、第２本体部２２Ａの基端面ｆ５側に形成され、壁部２３ｂの上面は、第２本体部２２Ａの上面ｆ４と面一である。シールド配置部２３Ａは、底面部２３ａと、底面部２３ａの両端部から立ち上がる壁部２３ｂとからなる凹部をなしている。
【００４６】
実施の形態１の変形例１にかかる撮像装置１００Ａでは、壁部２３ｂの上面が第２本体部２２Ａの上面ｆ４と面一となるようシールド配置部２３Ａが形成されるため、同軸ケーブル３０の芯線３１を折り曲げることなく芯線接続電極２５に接続することができる。このことにより、同軸ケーブル３０の芯線３１への機械的負荷を軽減し、より信頼性を向上させることができる。また、実施の形態１と同様に、複数の同軸ケーブル３０のシールド接続電極２４Ａへの位置合わせが容易となり、簡易に同軸ケーブル３０を回路基板２０Ａに接続することができる。さらに、第１本体部２１、第２本体部２２Ａおよび同軸ケーブル３０は、撮像素子１０の受光面ｆ２の投影面内に収まる大きさに形成されるため、撮像装置１００Ａの細径化を図ることができる。
【００４７】
さらに、実施の形態１では、同一の外径の同軸ケーブル３０を使用する撮像装置１００について説明したが、異なる外径の同軸ケーブルを用い、この同軸ケーブルのシールドをシールド接続電極に一括して接続してもよい。図７は、本発明の実施の形態１の変形例２にかかる撮像装置の断面図である。
【００４８】
実施の形態１の変形例２では、２種類の同軸ケーブル３０Ａ、３０Ｂを各２本、合計４本使用する。同軸ケーブル３０Ａの外径は、同軸ケーブル３０Ｂの外径より大きく、同軸ケーブル３０Ａをシールド配置部２３Ｂの内側、同軸ケーブル３０Ｂを外側に配置している。
【００４９】
外径が異なる同軸ケーブル３０Ａ、３０Ｂをシールド配置部２３Ｂに配置する場合、壁部２３ｂの高さＤ１は、壁部２３ｂに隣接配置される同軸ケーブル３０Ｂのシールド直径Ｄ４の１／２以上、シールド直径Ｄ４未満とすることが好ましい。また、壁部２３ｂの高さＤ１は、同軸ケーブル３０Ａ、３０Ｂのシールド配置部２３Ｂからの位置ずれを防止する観点及び、同軸ケーブル３０のシールド３３と壁部２３ｂの接続面積をより多く確保し接続信頼性を保つ観点から、壁部２３ｂに隣接する同軸ケーブル３０Ｂのシールド直径Ｄ４の１／２以上とすることが好ましい。
【００５０】
同軸ケーブル３０Ａをシールド配置部２３Ｂの外側、同軸ケーブル３０Ｂを内側に配置する場合、壁部２３ｂの高さＤ１は、壁部２３ｂに隣接配置される同軸ケーブル３０Ａのシールド直径の１／２以上、シールド直径未満とすればよく、また、壁部２３ｂの高さＤ１は、壁部２３ｂに隣接する同軸ケーブル３０Ａのシールド直径の１／２以上とすることが好ましい。
【００５１】
変形例２では、外径の異なる同軸ケーブル３０Ａ、３０Ｂを用いる場合について説明したが、例えば、複数の同軸ケーブル（同一の外径）と、１以上の単線ケーブルとを用いる場合も同様である。単線ケーブルを同軸ケーブルのシールド３３とともにシールド接続電極に接続する場合は、外部絶縁体を介して（外部絶縁体を剥離しないで）接続すればよい。
【００５２】
さらにまた、外径の異なる同軸ケーブル３０Ａ、３０Ｂを用いる場合、シールド配置部の底面に、溝を形成してもよい。図８は、本発明の実施の形態１の変形例３にかかる撮像装置の断面図である。
【００５３】
実施の形態１の変形例３では、外径が大きい同軸ケーブル３０Ａを１本、外径が小さい同軸ケーブル３０Ｂを２本使用する。同軸ケーブル３０Ａをシールド配置部２３Ｄの内側、同軸ケーブル３０Ｂを外側に配置している。
【００５４】
シールド配置部２３Ｄは、底面部２３ａの同軸ケーブル３０Ａの配置位置に溝２３ｃが形成されている。シールド接続電極２４Ｄは、溝２３ｃを含む底面部２３ａおよび壁部２３ｂの全面に形成されている。溝２３ｃは円弧形状であり、これにより溝２３ｃ上に略均一に形成されるシールド接続電極２４と同軸ケーブル３０Ａのシールド３３とが接する。溝２３ｃの深さは、同軸ケーブル３０Ａ、３０Ｂを、シールド配置部２３Ｄに配置した際、同軸ケーブル３０Ａ、３０Ｂの最上部が同じ高さとなるようにすればよい。
【００５５】
底面２３ａに溝２３ｃを設けて同軸ケーブル３０Ａ、３０Ｂの最上部を同じ高さとすることにより、接触治工具４０の形状が平坦でも全ての同軸ケーブルと接触治工具４０が接触することができ、接触治工具４０で上方から熱および圧力を加えた際に、同軸ケーブル３０Ａ、３０Ｂに均等に圧力が加わり、同軸ケーブル３０Ａの変形を抑制でき、信頼性を向上することができる。
【００５６】
また、シールド配置部には、同軸ケーブルを多層配置してもよい。図９は、本発明の実施の形態１の変形例４にかかる撮像装置の断面図である。
【００５７】
実施の形態１の変形例４では、シールド配置部２３Ｅには、４本の同軸ケーブル３０が、２本ずつ２層に積まれて配置されている。シールド配置部２３Ｅの壁部２３ｂの高さＤ１は、同軸ケーブル３０を２本重ねたシールド直径Ｄ５未満であることが好ましい。
【００５８】
同軸ケーブル３０をシールド配置部２３Ｅ内に多層に配置することにより、回路基板２０Ｅの幅寸法を小さくすることができる。
【００５９】
（実施の形態２）
実施の形態２にかかる撮像装置において、回路基板は第１回路基板と第２回路基板とを有している。図１０は、本発明の実施の形態２にかかる撮像装置で使用する回路基板２００を示す斜視図である。図１０では、発明の理解のために、使用するケーブルの配置位置を簡易に示している。
【００６０】
回路基板２００は、図示しないが基板上もしくは基板内部に電子部品を搭載する第１回路基板１２０と、同軸ケーブル１３０Ａ、１３０Ｂ、および単線ケーブル１３０Ｃ、１３０Ｄを接続する第２回路基板と、を有する。
【００６１】
第２回路基板は、第１回路基板１２０と電気的および機械的に接続される第１本体部２２１と、同軸ケーブル１３０Ａ、１３０Ｂ、および単線ケーブル１３０Ｃ、１３０Ｄを接続する第２本体部２２２と、を有する。
【００６２】
第２本体部２２２には、ｆ４面とｆ８面に階段部Ｓ１、Ｓ２、およびＳ３が設けられている。階段部Ｓ１〜Ｓ３は、撮像装置の光軸方向の基端側で互いに近づくように形成される。
【００６３】
階段部Ｓ１には、単線ケーブル１３０Ｃ、１３０Ｄの芯線１３１Ｃ、１３１Ｄ（図示せず）を接続する芯線接続電極２２５Ｃ、２２５Ｄ（図示せず）が形成されている。階段部Ｓ２には、同軸ケーブル１３０Ａの芯線１３１Ａを接続する芯線接続電極２２５Ａが形成されている。階段部Ｓ３には、同軸ケーブル１３０Ｂの芯線１３１Ｂを接続する芯線接続電極２２５Ｂが形成されるとともに、第２本体部２２２の基端面ｆ９側に、同軸ケーブル１３０Ａ、１３０Ｂのシールド１３３Ａ、１３３Ｂを接続するシールド接続電極２２４が形成されている。シールド接続電極２２４は、凹部状のシールド配置部２２３の全面もしくは一部に形成されている。同軸ケーブル１３０Ａ、１３０Ｂのシールド１３３Ａ、１３３Ｂを凹部状をなすシールド配置部２２３に配置してシールド接続電極２２４と接続するため、簡易かつ精度よく接続を行うことができる。
【００６４】
階段部Ｓ３の芯線接続電極２２５Ｂとシールド配置部２２３との間には、ケーブルの延出方向と直交する方向に、ショートの発生を防止する目的で溝部２２６が形成されている。
【００６５】
第２本体部２２２、単線ケーブル１３０Ｃ、１３０Ｄ、および同軸ケーブル１３０Ａ、１３０Ｂは、第１本体部２２１の上面ｆ４と直交する前面、すなわち、第１回路基板１２０と接するｆ５面の投影面内に収まる大きさである。また、第１回路基板１２０は、撮像素子１０と略同一に形成されるため、第１本体部２２１、第２本体部２２２、単線ケーブル１３０Ｃ、１３０Ｄ、および同軸ケーブル１３０Ａ、１３０Ｂは、撮像素子１０の投影面内に収まる大きさである。これにより、撮像装置の細径化を図ることができる。
【産業上の利用可能性】
【００６６】
上記したように、本発明にかかるケーブル接続構造は、複数の同軸ケーブルが回路基板等に接続される撮像装置に有用であり、特に小型化が要求される内視鏡に好適である。
【符号の説明】
【００６７】
１  内視鏡システム
２  内視鏡
３  情報処理装置
４  光源装置
５  表示装置
６  挿入部
６ａ  先端部
６ｂ  湾曲部
６ｃ  可撓管部
６ｄ  開口部
７  操作部
７ａ  湾曲ノブ
７ｂ  処置具挿入部
７ｃ  スイッチ部
８  ユニバーサルコード
８ａ、８ｂ  コネクタ
１０  撮像素子
１１  ガラス
１２  撮像素子チップ
２０  回路基板
２１  第１本体部
２２  第２本体部
２３  シールド配置部
２４  シールド接続電極
２５  芯線接続電極
３０  同軸ケーブル
３１  芯線
３２  内部絶縁体
３３  シールド
３４  外部絶縁体
１００  撮像装置
【図１】
2017187621.tif 000003
【図２】
2017187621.tif 000004
【図３】
2017187621.tif 000005
【図４】
2017187621.tif 000006
【図５】
2017187621.tif 000007
【図６】
2017187621.tif 000008
【図７】
2017187621.tif 000009
【図８】
2017187621.tif 000010
【図９】
2017187621.tif 000011
【図１０】
2017187621.tif 000012
【国際調査報告】
2017187621.tif 000013
2017187621.tif 000014